(57)【要約】【課題】医療看護の各ステップで実行すべき必要な個別メニユーを一括して選択し、連続実行することができ、一部メニユーの実行忘れが発生しないようにすることを課題とする。【解決手段】複数の個別メニューを一覧表示するシステムメニューの一部に、一括処理メニューを設け、この一括処理メニューを実行することにより、医療看護の各業務ステップにおいて、前記複数の個別メニューの中から、まとめて処理すべき一つ以上の個別メニューを選択して一括実行する処理の登録作業を実施すると共に、登録された一括実行メニューを選択実行することにより、医療看護の各業務ステップにおいて、まとめて処理すべき個別メニューを連続して一括実行できるようする。【選択図】図３
2006127113.tif 000002
【特許請求の範囲】
【請求項１】
複数の個別メニューを一覧表示するシステムメニューの一部に、一括処理メニューを設け、この一括処理メニューを実行することにより、医療看護の各業務ステップにおいて、前記複数の個別メニューの中から、まとめて処理すべき一つ以上の個別メニューを選択して一括実行する処理の登録作業を実施すると共に、登録された一括実行メニューを選択実行することにより、医療看護の各業務ステップにおいて、まとめて処理すべき複数の個別メニューを連続して一括実行できるようにしたことを特徴とする看護支援システム
【請求項２】
一括処理の登録および実行に際して、登録および実行の許可手段としてパスワード入力手段を設けたことを特徴とする請求項１記載の看護支援システム
【請求項３】
一括処理の登録方法として、医療看護の特定の業務ステップにおいて使用する複数の個別メニューを選択して一括指定する一括指定方法、または、前記特定の業務ステップの実行結果を記録して構成した実行履歴方法、または、前記特定の業務ステップにおいてあらかじめ使用が予定される複数の個別メニューを結合して構成したテンプレートの中から、一つの方法または適当に組合わせた二つの方法または三つの方法で一括実行メニューを作成指定できるようにしたことを特徴とする請求項１または請求項２記載の看護支援 システム
【請求項４】
前記一括処理メニューの選択後表示される一括処理詳細メニューにおいて、一括実行ファイル名を表示できるようにするとともに、一括実行ファイルの実行結果として、未実行の個別メニューが残っているときは、前記登録名の表示態様を文字フォント、文字色、背景色などを変えて識別可能にしたことを特徴とする請求項１または請求項２または請求項３記載の看護支援システム
【請求項５】
前記一括実行メニューの実行画面において、未実施の固有メニユーを残したまま終了操作をしたら、警告表示がでるようにしたことを特徴とする請求項１または請求項２または請求項３記載の看護支援システム
【発明の詳細な説明】
【技術分野】
【０００１】
本発明は、病院や福祉施設等の医療看護現場において、看護人の看護業務を支援する看護支援システムに関する。
【背景技術】
【０００２】
病院や福祉施設等の医療看護現場において使用される看護支援システムでは、医療看護に関連する諸業務を遂行する上で必要となる患者情報、看護情報、医療情報など各種情報を網羅するため、多数の個別メニューが表示され、使用される。
【０００３】
システムメニューの中に一覧で表示される個別メニユーの例を挙げると、たとえば、入退院情報、患者個人情報、患者既往歴、患者基本情報（担当医師、担当看護婦、割り当てられたベッド番号）、看護計画、看護記録、ＡＤＬ、観察項目、計測項目、食事／尿・便、入眠状況、バイタル、ＩＮ／ＯＵＴバランス、シェーマ、看護サマリー、ワークシート等々がある。
【０００４】
これら多数の個別メニューの利用状況は、入力のタイミング、あるいは、医療看護の各ステップにおける看護業務の内容、さらには利用する看護師等の医療スタッフが誰であるかにより異なる。
【０００５】
たとえば、患者が入院し治療を開始するに際して発生する入院処理のステップを考えてみる。
【０００６】
まず、システムメニユーにおいて、入退院処理に関する実行メニューとして、患者登録メニユーを選択の上、必要な入力作業を実行してシステムメニューに戻る。つづいて、同じように、患者個人情報メニュー、患者基本情報メニュー、既往歴メニユーを順次選択し、入力作業を実施する。
【０００７】
この場合、システムメニューと４種の個別メニューとの間を行き来しながら各個別メニューで要求されるデータを入力する必要がある。すなわち、メニューの切換操作が多く複雑であり、時には、必要な個別メニューの実行忘れも生じかねない。
【０００８】
このような複雑なメニュー操作を簡便化するものとして、特許文献１には、複数階層メニューの選択方法であって、各階層毎に選択されたメニューを各メニュー項目毎に記憶し、メニュー表示の際に、下位階層のメニューに於ける選択済みメニューの有無を、各メニュー項目毎に表示し、表示されているメニュー項目に対して、選択済みメニューの選択の指示がなされた時は、そのメニュー項目に対応して記憶されているメニューを実行する、ことを特徴とするメニュー選択方法の発明が記載されている。
【０００９】
この公知の発明は、複数階層メニューの選択を容易にすると考えられるが、本発明のように、最上位層を構成する複数の個別メニユーを一括連続して操作可能にするものではない。
【特許文献１】・・・・特開平７−１４１１３７
【発明の開示】
【発明が解決しようとする課題】
【００１０】
本発明は、医療看護の各ステップで実行すべき必要な個別メニユーを一括して選択し、連続実行することができ、一部メニユーの実行忘れが発生しないようにすることを課題とする。
【００１１】
また、本発明は、一括実行メニューの作成に際し、一括して実行すべき個別メニューを利用者が任意に選択指定するか、実際の操作実績を履歴として記録し、実行履歴の内容をそのまま一括実行メニューとするか、あるいは、一括実行メニューとして予め用意されているテンプレートを使うかを操作者が指定可能にすることを課題とする。
【課題を解決するための手段】
【００１２】
医療看護の各ステップでまとめて処理すべき一つ以上の個別メニューを選択して一括実行するための一括処理メニューをシステムメニューに加え、操作者が各自の必要に応じて、一括実行メニューの登録、実行が実施できるようにする。
【００１３】
また、一括実行メニューの登録、実行、削除は、パスワードによる許可手段を条件とする。
さらに、個別特定の一括処理メニューを実行したが、その中に含まれる複数の個別メニユーの１つでも未実施の時は、当該特定の一括実行メニュー名を他の一括実行メニュー名と識別可能にするため、その表示態様を異ならせる。
【発明の効果】
【００１４】
本発明によれば、医療看護の各ステップで実行すべき必要な個別メニユーを一括して選択し、連続実行することができるので、メニュー操作が簡便になる。
【００１５】
また、一括処理実行ファイルの作成は、個別メニュー一括指定方法、実行履歴記録方法、テンプレート方法の中から適宜選択できるので、操作者および各業務ステップに適合する作成方法を選択できる。
【００１６】
さらに、一つの一括実行ファイルに含まれる複数の個別メニューの中の1つでも実行忘れがあれば、実行メニユー名の表示態様から識別でき、個別メニューの実行忘れを防止できる。
【発明を実施するための最良の形態】
【００１７】
図１は、本発明の１実施例である看護支援システムの携帯端末の構成図である。
【００１８】
１はＣＰＵ、２は、携帯端末の制御プログラムを記憶したＲＯＭ、３はデータ入出力部４や通信インターフェースから取り込まれるシステムプログラムやパートプログラムのほか、液晶式の表示部６、タッチ式の操作部７等で対話式に作成されるパートプログラムおよび各種データ等を記憶するＲＡＭでこれら各要素１〜７はバス８で結合されている。
【００１９】
通信インターフェース５は、これを、通信線を介して看護支援システムの親機に接続し、携帯端末と親機との間で相互にデータ交換ができるようにすることができる。
【００２０】
データ入出力部４は、ＵＳＢ対応とすることにより、各種の入出力機器に対応させることができる。
【００２１】
図２は、看護支援システムを構成する親機や携帯端末の表示部６に表示されたシステムメニユー画面の一例を示したものである。このシステムメニューを構成する個別メニユーの一つにタッチすることにより、所望の個別メニュー項目を実施できるようになっている。
【００２２】
本発明では、システムメニューを構成する個別メニユー項目の一つとして、一括処理の項目を備えており、この一括処理の項目を選択することにより、後述するように、複数の個別メニュー項目をまとめて実施することができる。
【００２３】
図３は、システムメニューにおいて、一括処理の項目を選択したとき表示される一括処理詳細メニューの画面を表示したものであり、操作者名は担当として表示されている。
【００２４】
一括処理詳細メニューの画面は、新規登録メニユーと実行処理メニューとから構成されている。
【００２５】
まず、新規登録メニューにおいては、３種類の登録手段から選択できるようになっている。すなわち、複数の個別メニューから必要なメニユーを任意に選択して指定出来る、「１．一括指定」と、複数の個別メニューを連続して実施した結果を実行履歴として登録できる「２．実行履歴」と、医療、看護の各業務ステップにおいて連続して実施する必要のある標準的な個別メニユーを一括して実行できるように、予め登録した「３．テンプレート」のいずれかを選択できるようになっている。
【００２６】
実行処理メニユーには、上記のいずれかの手段で登録され名前を付けられた一括実行ファイル名が表示される。図示の例では、「１、入院処理」、「２、観察処理」、「３、看護処理」という名で登録された一括実行ファイル名が表示されている。
【００２７】
図４は、前記新規登録メニューで「1、一括指定」の項目を選んだとき表示される画面の例である。
【００２８】
まず、最初に処理名を入力し、次いで、連続して一括処理する個別メニューを所望数選択する。
【００２９】
次に、前記新規登録メニューで、「２、実行履歴」を選択した場合は、実行履歴の登録名を入力することにより、実行履歴記録作業が開始され、システムメニュー画面に戻る。そこで、必要な個別メニユー項目を順次選択しながら実行する。最後に、実行履歴記録の終了を宣言することにより、実行履歴の記録作業は終了し、一括実行ファイルとして登録される。
【００３０】
図５は、前記新規登録メニユーで、「３、テンプレート」を選択したとき表示される画面である。
【００３１】
まず、処理名を入力し、用意されているテンプレートから所望のテンプレートを選択し処理名とともに登録する。なお、このテンプレート画面には、それぞれ仮の処理名と、使用する個別メニユー名が表示されているが、新規に処理名を付け、登録すると、処理名が一括実行ファイル名として、図３の一括処理詳細メニューに表示される。
【００３２】
図６は、本発明の１実施例における画面展開例を示すフローチャートである。
【００３３】
なお、本チャートでは図示していないが、一般には、システムの起動画面で、ＩＤとパスワード入力して操作者を特定し、システムメニューに遷移するように構成する。
【００３４】
次いで、システムメニューが表示されたところで、一括処理の個別メニューを選択すると、パスワード入力要求画面を経て一括処理詳細メニユーが表示される。
【００３５】
前述した一括処理詳細メニユーにおいて、新規登録と一括処理のいずれかを選択してそれぞれのフローに分岐する。
【００３６】
新規登録の場合には、前述したように、一括指定、実行履歴、テンプレートのいずれかを適宜選択し、それぞれ、個別メニュー選択登録、実行履歴登録、テンプレート登録処理を実行する。実行終了により、システムメニユーに復帰する。
【００３７】
他方、一括処理のメニユーにおいては、業務処理のステップに対応して登録済の一括実行ファイルを選択し、実行する。
【００３８】
一括処理実行後、未実施の個別メニユーが残っていれば、終了前に処理残警告表示がされる。
【００３９】
次いで、この警告表示に対応して残処理を実行したら、再びシステムメニューに復帰する。
【００４０】
残処理を実行せず強制終了した場合には、内部テーブルの残処理フラグをＯＮに設定した後、システムメニユーに復帰する。
【００４１】
このように残処理フラグがＯＮになっている場合、引き続いて、システムメニユーから一括処理を選択したとき、残処理フラグがＯＮの一括実行ファイル名が強調表示される。
【００４２】
たとえば、図３の一括実行ファイル名で、「２、観察処理」のように白黒反転したり、文字フォント、文字色、背景色などを変えて強調表示される。この強調表示により、他の一括実行ファイル名と識別できる。
【図面の簡単な説明】
【００４３】
【図１】本発明の１実施例である看護支援システムの携帯端末の構成図。
【図２】本発明の１実施例におけるシステムメニュー画面。
【図３】本発明の１実施例における一括処理詳細メニュー画面。
【図４】本発明の１実施例における一括指定メニユー画面。
【図５】本発明の１実施例におけるテンプレート選択画面。
【図６】本発明の１実施例における画面展開例を示すフローチャート。
【符号の説明】
【００４４】
１    ＣＰＵ
２    ＲＯＭ
３    ＲＡＭ
４    データ入出力部
５    通信インターフェース
６    表示部
７    操作部
８    バス
【図１】
2006127113.tif 000003
【図２】
2006127113.tif 000004
【図３】
2006127113.tif 000005
【図４】
2006127113.tif 000006
【図５】
2006127113.tif 000007
【図６】
2006127113.tif 000008